(57)【要約】【課題】  換気口に設けられるフィルタの交換作業を容易とする。【解決手段】  スイッチギヤの箱体面に設けられた換気口３と、前記換気口３を囲むように固定された固定側フィルタケース１０と、前記固定側フィルタケース１０内に装着される除塵用のフィルタ５と、前記固定側フィルタケース１０に固定される可動側フィルタケース１２とを備え、前記固定側フィルタケース１０に前記可動側フィルタケース１２が弾性部材による固定手段の凸部１５と凹部１４とで固定されることを特徴とする。【選択図】  図１
2007028740.tif 000002
【特許請求の範囲】
【請求項１】
スイッチギヤの箱体面に設けられた換気口と、
前記換気口を囲むように固定された固定側フィルタケースと、
前記固定側フィルタケース内に装着される除塵用のフィルタと、
前記固定側フィルタケースに固定される可動側フィルタケースとを備え、
前記固定側フィルタケースに前記可動側フィルタケースが弾性部材による固定手段で固定されることを特徴とするスイッチギヤのフィルタ装置。
【請求項２】
前記固定側フィルタケースと前記可動側フィルタケースとの一方端に、蝶番を取り付けて前記可動側フィルタケースを回動自在とし、
前記固定側フィルタケースと前記可動側フィルタケースとの他方端に、前記弾性部材による固定手段を設けたことを特徴とする請求項１に記載のスイッチギヤのフィルタ装置。
【請求項３】
前記固定側フィルタケース内に前記フィルタが装着されるとともに、前記固定側フィルタケースに前記可動側フィルタケースが前記弾性部材による固定手段で固定されたとき、信号を発するスイッチを前記固定側フィルタケースに設けたことを特徴とする請求項１または請求項２に記載のスイッチギヤのフィルタ装置。
【請求項４】
前記フィルタの厚さは、前記固定側フィルタケースの高さよりも厚いことを特徴とする請求項１乃至請求項３のいずれか１項に記載のスイッチギヤのフィルタ装置。
【請求項５】
前記フィルタが前記可動側フィルタケースに圧縮されて元に戻ろうとする反発力よりも、前記弾性部材による固定手段のバネ力が大きいことを特徴とする請求項１乃至請求項４のいずれか１項に記載のスイッチギヤのフィルタ装置。
【請求項６】
前記弾性部材による固定手段は、
前記可動側フィルタケースと前記固定側フィルタケースとの一方に凹部を設け、
他方に凸部を設け、
少なくとも一方が変形しながら前記凹部に前記凸部が嵌め込まれることを特徴とする請求項１乃至請求項５のいずれか１項に記載のスイッチギヤのフィルタ装置。
【発明の詳細な説明】
【技術分野】
【０００１】
本発明は、スイッチギヤの換気口に設けられるフィルタの交換作業を容易にし得るスイッチギヤのフィルタ装置に関する。
【背景技術】
【０００２】
従来、図３に示すように、スイッチギヤには、箱体１内に遮断器や断路器のような主回路電気機器２が収納され、この主回路電気機器２の発熱による箱体１内の温度上昇を抑制するため、箱体１の扉１ａなどには、開口した換気口３が設けられている（例えば、特許文献１参照。）。
【０００３】
換気口３には、図４に示すように、扉１ａに固定された防塵用の金網４が設けられ、その内側にポリエチレン、ナイロンなどの繊維を細かく編み込んだ除塵用のフィルタ５が設けられている。フィルタ５は、その端部がボルト６で固定された複数のＺ字状の押え板７で固定されている。
【０００４】
これにより、主回路電気機器２が通電などにより発熱し、箱体１内が温度上昇すると、換気口３から外部空気が吸い込まれ、温度上昇を抑えることができる。外部空気には、塵埃が含まれているが、フィルタ５により除去されるので、箱体１内への侵入を抑えることができる。
【特許文献１】特開平５−６４３２１号公報  （第２ページ、図４）
【発明の開示】
【発明が解決しようとする課題】
【０００５】
上記の従来のフィルタ装置においては、次のような問題がある。
【０００６】
フィルタ５は、定期点検などの所定の期間毎に交換されるものであり、その交換には、一旦、複数のボルト６と押え板７とを取り外し、フィルタ５を交換後、再び、この複数のボルト６と押え板７とを取り付けて固定していた。
【０００７】
しかしながら、フィルタ５の位置合わせや、複数のボルト６や押え板７の取り付けに多大の時間を要していた。特に、スイッチギヤの設置環境が建設現場や海岸地域など塵埃の多い場所では、フィルタ５が短期間で目詰まりして外部空気の吸い込みが悪くなるので、フィルタ５の交換の頻度を高くしなければならなかった。このため、フィルタ５の交換作業を容易に行えることが望まれていた。
【０００８】
なお、フィルタ５の交換の頻度が低くなると、外部空気の吸い込みが悪くなり、箱体１内の温度上昇を抑えることができなくなる。そして、温度上昇が主回路電気機器２の許容値を超えてしまうと、スイッチギヤの運転の継続ができなくなる。
【０００９】
本発明は上記問題を解決するためになされたもので、フィルタの交換作業を短時間で容易にし得るスイッチギヤのフィルタ装置を提供することを目的とする。
【課題を解決するための手段】
【００１０】
上記目的を達成するために、本発明のスイッチギヤのフィルタ装置は、スイッチギヤの箱体面に設けられた換気口と、前記換気口を囲むように固定された固定側フィルタケースと、前記固定側フィルタケース内に装着される除塵用のフィルタと、前記固定側フィルタケースに固定される可動側フィルタケースとを備え、前記固定側フィルタケースに前記可動側フィルタケースが弾性部材による固定手段で固定されることを特徴とする。
【発明の効果】
【００１１】
本発明によれば、換気口に固定側フィルタケースを固定して、この固定側フィルタケース内にフィルタを装着し、可動側フィルタケースを弾性部材による固定手段で固定しているので、可動側フィルタケースの開閉が容易となり、フィルタの交換作業を短時間で容易に行うことができる。
【発明を実施するための最良の形態】
【００１２】
以下、図面を参照して本発明の実施例を説明する。
【実施例１】
【００１３】
先ず、本発明の実施例１に係るスイッチギヤのフィルタ装置を図１を参照して説明する。図１は、本発明の実施例１に係るスイッチギヤのフィルタ装置の構成およびフィルタの交換作業を説明する拡大断面図である。なお、図１において、従来と同様の構成部分については、同一符号を付した。また、換気口の設置個所は、図３と同様であるので、その説明を省略する。
【００１４】
図１に示すように、換気口３には、扉１ａの開口部に防塵用の金網４が設けられている。また、箱状の固定側フィルタケース１０が換気口３を囲むように固定されている。固定側フィルタケース１０の図示下部の一方端には、回動自在の蝶番１１の一方が固定され、他方が板状で網目状の可動側フィルタケース１２の一方端に固定されている。
【００１５】
金網４の内側の固定側フィルタケース１０内には、ポリエチレン、ナイロンなどの繊維を細かく編み込んだものを重ね合わせ、十数ｍｍの所定の厚さｔ１に形成した除塵用のフィルタ５が設けられている。なお、可動側フィルタケース１２の他方端には、可動側フィルタケース１２を開閉させる把手１３が設けられている。
【００１６】
固定側フィルタケース１０の他方端の側面には、菱形状の凹部１４が複数個所設けられ、また、可動側フィルタケース１２の他方端には、凹部１４に嵌合する菱形状の凸部１５が設けられている。この凸部１５は、板バネのような弾性部材からなり、凹部１４に嵌め込まれるとき、もしくは嵌め込みを外すときに、図示点線で示すように菱形状が細くなるようになっている。このように、凸部１５の菱形状が変形して凹部１４内に嵌合され固定されることを、弾性部材による固定手段と定義する。なお、固定側フィルタケース１０は、高さｔ２となっている。
【００１７】
次に、フィルタ５の交換を説明する。
【００１８】
可動側フィルタケース１２の把手１３を引いて、固定側フィルタケース１０の凹部１４と凸部１５との嵌合を外し、可動側フィルタケース１２を蝶番１１を支点として時計方向に回動させる。これにより、可動側フィルタケース１２と固定側フィルタケース１０との図示上方が開くので、この開いた部分からフィルタ５を交換する。交換後、可動側フィルタケース１２を反時計方向に回動させ、凸部１５を凹部１４に嵌合させる。
【００１９】
ここで、固定側フィルタケース１０の高さｔ２よりもフィルタ５の厚さｔ１を厚くしている。また、凸部１５の菱形状が変形するバネ力Ｐ１は、凹部１４に容易に嵌め込みができ、また、引き外せる所定の操作力の十数ｋｇｆである。更に、バネ力Ｐ１は、ｔ１＞ｔ２の関係から、フィルタ５が可動側フィルタケース１２で圧縮されたときに元に戻ろうとするが、その反発力よりも強く、且つ、扉１ａを開閉したときなどの振動による荷重よりも強くなっている。
【００２０】
これにより、固定側フィルタケース１０にフィルタ５を装着し、可動側フィルタケース１２の凸部１５を凹部１４に嵌合させたとき、フィルタ５は換気口３の所定の位置に可動側フィルタケース１２によって押されて固定される。即ち、フィルタ５の位置合わせが容易となり、確実に塵埃を除去することができる。
【００２１】
また、可動側フィルタケース１５は、フィルタ５の反発力や扉１ａの開閉の荷重などに対して容易に開くことがなく、且つ、フィルタ５の交換時には工具などを必要とせず、所定の操作力で開くことができる。このため、フィルタ５の交換作業を短時間とすることができる。
【００２２】
上記実施例１のスイッチギヤのフィルタ装置によれば、固定側フィルタケース１０内に、この固定側フィルタケース１０の高さよりも厚いフィルタ５を装着し、可動側フィルタケース１２を蝶番１１で回動させるとともに、弾性部材による固定手段により固定しているので、フィルタ５を確実に固定することができ、フィルタ５の交換作業を短時間で容易に行うことができる。
【実施例２】
【００２３】
次に、本発明の実施例２に係るスイッチギヤのフィルタ装置を図２を参照して説明する。図２は、本発明の実施例２に係るスイッチギヤのフィルタ装置の構成およびフィルタの交換作業を説明する拡大断面図である。なお、この実施例２が実施例１と異なる点は、凹部を弾性部材とし、固定側フィルタケースにスイッチを設けたことである。図２において、実施例１と同様の構成部分においては、同一符号を付し、その詳細な説明を省略する。
【００２４】
図２に示すように、固定側フィルタケース１０の他方端の側面には、板バネのような弾性部材からなる菱形状の凹部１６が設けられ、また、可動側フィルタケース１２の他方端には、凹部１６に嵌合する菱形状の凸部１７が設けられている。凹部１６は、凸部１７が嵌め込まれるとき、もしくは嵌め込みが外されるときに、図示点線で示すように菱形状が広がるようになっている。
【００２５】
また、凹部１６が広がったときに動作するとともに、フィルタ５に押されて動作するスイッチ１８が固定側フィルタケース１０に固定されている。このスイッチ１８は、フィルタ５が固定側フィルタケース１０内に装着されるとともに、凹部１６が凸部１７によって押し広げられたときに、リード線１９により図示しない制御室に信号を送るようになっている。
【００２６】
このように、凹部１６の菱形状が変形して凸部１７が固定されることを、弾性部材による固定手段と定義する。凹部１６の菱形状が変形するバネ力Ｐ２は、実施例１と同様に、凸部１７を容易に嵌め込むことができ、また、引き外せる所定の操作力の十数ｋｇｆである。
【００２７】
なお、凹部１６とともに、凸部１７も弾性部材としてもよい。
【００２８】
上記実施例２のスイッチギヤのフィルタ装置によれば、実施例１と同様の効果のほかに、フィルタ５の装着状況を外部から確認することができる。
【００２９】
なお、本発明は、上記実施例に限定されるものではなく、発明の要旨を逸脱しない範囲で、種々変形して実施することができる。上記実施例では、換気口３を扉１ａに設けて説明したが、換気口３を箱体１の側面や天井面などに設けてもよい。
【００３０】
また、フィルタ５を箱体１内に設けて説明したが、箱体１の周囲に障害物などがなければ箱体１外に設けてもよい。また、凸部１５、１７と凹部１４、１６とを菱形状で説明したが、互いを球状などの形状にしてもよい。
【００３１】
更に、固定側フィルタケース１０と可動側フィルタケース１２の一方端に蝶番１１を設けて説明したが、蝶番１１を用いずに、固定側フィルタケース１０と可動側フィルタケース１２とに凸部１５、１７および凹部１４、１６からなる弾性部材による固定手段を設けて可動側フィルタケース１２を固定してもよい。
【図面の簡単な説明】
【００３２】
【図１】本発明の実施例１に係るスイッチギヤのフィルタ装置の構成およびフィルタの交換作業を説明する拡大断面図。
【図２】本発明の実施例２に係るスイッチギヤのフィルタ装置の構成およびフィルタの交換作業を説明する拡大断面図。
【図３】スイッチギヤの構成を示す斜視図。
【図４】従来のスイッチギヤのフィルタ装置の構成を示す拡大断面図。
【符号の説明】
【００３３】
１  箱体
１ａ  扉
２  主回路電気機器
３  換気口
４  金網
５  フィルタ
６  ボルト
７  押え板
１０  固定側フィルタケース
１１  蝶番
１２  可動側フィルタケース
１３  把手
１４、１６  凹部
１５、１７  凸部
１８  スイッチ
１９  リード線
【図１】
2007028740.tif 000003
【図２】
2007028740.tif 000004
【図３】
2007028740.tif 000005
【図４】
2007028740.tif 000006